(57)【要約】      （修正有）【課題】容器を電子レンジ内から取り出す際に、安全かつ容易に取り出しできる電子レンジ調理容器を提供する。【解決手段】容器の上面側から見て側面０２０２の一部が開口輪郭より凹陥する凹陥部０２０３を形成した、１００℃耐熱材料。【選択図】図２
2014014594.tif 000002
【特許請求の範囲】
【請求項１】
容器の上面側から見て側面の一部が開口輪郭より凹陥する凹陥部を形成した、１００℃耐熱材料からなることを特徴とする電子レンジ用調理容器。
【請求項２】
前記開口輪郭部分と前記凹陥した側面とをつなぐ面には、天に向かって凸状に形成した指掛け部を設けたことを特徴とする請求項１に記載の電子レンジ用調理容器。
【請求項３】
容器の側面は、底面に対して略垂直方向に形成されたリブを有することを特徴とする請求項１又は２に記載の電子レンジ用調理容器。
【請求項４】
底面は央部に凹陥部を設けるとともに、前記リブは底面にまで延伸し、容器の接地は、前記凹陥部周囲に延伸したリブによってなされるように構成された請求項３に記載の電子レンジ用調理容器。
【発明の詳細な説明】
【技術分野】
【０００１】
本発明は、電子レンジを用いた食品の調理に利用するための容器に関する。
【背景技術】
【０００２】
従来、包装用容器を手で持ちやすくするための技術として、容器の一部に凹陥部を形成する技術が用いられてきた。
【先行技術文献】
【非特許文献】
【０００３】
【非特許文献１】意匠登録第１００６１７８号公報
【発明の概要】
【発明が解決しようとする課題】
【０００４】
しかしながら、かかる技術は、電子レンジを用いた食品の調理に利用するための容器においては用いられていなかった。電子レンジを用いて食品を調理する場合、ユーザは、調理直後に食品が入った容器を電子レンジ内から取り出す必要がある。その際には、高温となっている容器の側面に触れなければこれを安定して把持することができず、不便である上に、火傷の危険もあった。
【０００５】
そこで、本発明は、調理直後においても電子レンジから安全かつ容易に取り出し可能な電子レンジ用調理容器を提供することを課題とする。
【課題を解決するための手段】
【０００６】
本発明が提供する電子レンジ用調理容器は、具体的には、次のような電子レンジ用調理容器である。
【０００７】
第１発明では、容器の上面側から見て側面の一部が開口輪郭より凹陥する凹陥部を形成した、１００℃耐熱材料からなることを特徴とする電子レンジ用調理容器を提供する。
【０００８】
第２発明では、第１発明を基本として、開口輪郭部分と凹陥した側面とをつなぐ面には、天に向かって凸状に形成した指掛け部を設けたことを特徴とする電子レンジ用調理容器を提供する。
【０００９】
第３発明では、第１発明又は第２発明のいずれか一を基本として、容器の側面は、底面に対して略垂直方向に形成されたリブを有することを特徴とする電子レンジ用調理容器を提供する。
【００１０】
第４発明では、第３発明を基本として、底面は央部に凹陥部を設けるとともに、リブは底面にまで延伸し、容器の接地は、凹陥部周囲に延伸したリブによってなされるように構成された電子レンジ用調理容器を提供する。
【発明の効果】
【００１１】
本発明によれば、調理直後においても電子レンジから安全かつ容易に取り出し可能な電子レンジ用調理容器を提供できる。
【発明を実施するための形態】
【００１２】
以下に、図を用いて本発明の実施の形態を説明する。なお、本発明はこれらの実施の形態に何ら限定されるものではなく、その要旨を逸脱しない範囲において、種々なる態様で実施しうる。なお、実施形態１は、主に請求項１について説明する。実施形態２は、主に請求項２について説明する。実施形態３は、主に請求項３について説明する。実施形態４は、主に請求項４について説明する。
≪実施形態１≫
<実施形態１：概要>
【００１３】
本実施形態の電子レンジ用調理容器は、内部に収納した食品を電子レンジによって調理可能な容器であって、かつ、側面に設けられた凹陥部と開口輪郭とをつなぐ面によってユーザに把持されることを特徴とする。ここで、図１を参照する。図１は、本実施形態の電子レンジ用調理容器をユーザが把持する際の一例を示す概念図である。
<実施形態１：構成>
【００１４】
ここで、図２を参照する。図２は、本実施形態の電子レンジ用調理容器を側面方向から見た場合における概念図である。本実施形態の電子レンジ用調理容器は、「底面」（０２０１）と、「側面」（０２０２）と、からなり、かつ「凹陥部」（０２０３）を有する。「底面」とは、容器のうち接地に用いられる部分であり、「側面」とは、容器のうち底面以外の部分である。
【００１５】
「凹陥部」は、容器の側面の一部を容器内部に向かって凸となるように形成することによって生じる、外部に面した凹状の部分である。凹陥部の上端は、側面の最上部縁部である開口輪郭よりも下であれば良く、容器の形状や持ちやすさを考慮して最適な高さとなるよう構成されることが望ましい。凹陥部の上端は、開口輪郭よりも下に位置するため、開口輪郭部分と凹陥した側面とをつなぐ面が形成されることとなり、ユーザは、この面に指先を配置して容器を把持することができる。
【００１６】
容器の開口輪郭部分には、強度向上のための加工が施されている場合が多い。本実施形態の電子レンジ用調理容器においては、ユーザは、開口輪郭部分に指先を配置して容器を把持することとなる。したがって、例えば開口輪郭部分を延伸して把持部を形成する場合と比較して、強度向上のための加工が施された部分を把持部として利用することが可能となるため、ユーザが容器を把持した際の安定感が増す。
【００１７】
ここで、図３を参照する。図３は、本実施形態の電子レンジ用調理容器を底面方向から見た場合における概念図である。図３に示すように、凹陥部の下端は、容器の底面に及んでいても良い。このように構成した場合、凹陥部が容器の底面に及んでいない場合と比較して、容器の接地面積が少なくなる。
【００１８】
本実施形態の電子レンジ用調理容器は、１００℃耐熱材料によって形成されていなければならない。なぜなら、電子レンジを用いて食品を調理する際には、高周波誘電加熱によって食品中の水分が加熱され、食品の温度が水の沸点である１００℃まで上昇するため、耐熱温度が１００℃未満の容器は調理によって破損したり融解したりするおそれがあるためである。また、食品が油分を含む場合には沸点が上昇する結果食品の温度が１００℃以上に上昇するため、容器の耐熱温度は高いほど望ましい。１００℃耐熱材料としては、具体的には、耐熱ガラス、セラミックス、ポリプロピレン、ポリスチレン、あるいはこれらの材料と他の材料との混合物等が挙げられる。なお、これらの材料は、単独で用いられても、複数を混合して用いられても良い。
<実施形態１：効果>
【００１９】
本実施形態の電子レンジ用調理容器においては、ユーザは、開口輪郭と凹陥部とをつなぐ面に指を配置することによって、容器側面の高温部分に触れることなく、容器を片手で容易に把持することができる。本発明によれば、調理直後においても電子レンジから安全かつ容易に取り出し可能な電子レンジ用調理容器を提供できる。
<<実施形態２>>
<実施形態２：概要>
【００２０】
実施形態１の電子レンジ用調理容器によれば、ユーザは、開口輪郭と凹陥部とをつなぐ面に指を配置することによって、容器側面の高温部分に触れることなく、容器を片手で容易に把持することができる。しかしながら、この面が滑らかな平面であった場合、ユーザの指先から容器が滑り落ちるおそれがある。本実施形態の電子レンジ用調理容器は、ユーザの指先がより安定して配置されるよう、開口輪郭と凹陥部とをつなぐ面に、天に向かって凸状に形成した指掛け部を設けたことを特徴とする。
<実施形態２：構成>
【００２１】
ここで、図４を参照する。図４は、本実施形態の電子レンジ用調理容器を天方向から見た場合における概念図である。本実施形態の電子レンジ用調理容器は、「底面」（０４０１）と、「側面」（０４０２）と、からなり、かつ「凹陥部」（０４０３）を有し、さらに、「指掛け部」（０４０４）を有する。「底面」、「側面」、及び「凹陥部」については、実施形態１で述べたところと同様であるので、説明を省略する。
【００２２】
「指掛け部」は、開口輪郭部分と凹陥した側面とをつなぐ面に天に向かって凸状に形成した部分である。このように構成することによって、ユーザの指先は、凸面の裏側に形成される凹面に配置されることとなる。ここで、図６を参照する。図６は、本実施形態の電子レンジ用調理容器の使用状態の一例を示す概念図である。なお、指掛け部は、ユーザが容器を保持しやすいよう、指先を掛けるのに適した形状を有することが望ましい。
【００２３】
ここで、図５を参照する。図５は、本実施形態の電子レンジ用調理容器を側面方向から見た場合における概念図である。図５に示すように、本実施形態の電子レンジ用調理容器は、側面にピーター線（０５０５）を有していてもよい。ピーター線とは、容器に熱湯等を入れて調理する際に、熱湯等を入れる量の目安を示すための線である。
【００２４】
指掛け部は、開口輪郭部分と凹陥した側面とをつなぐ面に形成されるため、必然的に、ピーター線よりも上に位置することとなる。したがって、熱湯をピーター線まで注いだ場合においても、指掛け部は、熱湯と直接接することがないため高温とならない。そのため、ユーザは、容器のピーター線まで熱湯が注がれた状態であっても、熱さを感じることなく容器を保持することができる
<実施形態２：効果>
【００２５】
本実施形態の電子レンジ用調理容器においては、ユーザの指先が指掛け部に配置されることによって、指先から容器が滑り落ちることを防ぐことが可能となる。本発明によれば、調理直後においても電子レンジから安全かつ容易に取り出し可能な電子レンジ用調理容器を提供できる。
<<実施形態３>>
<実施形態３：概要>
【００２６】
実施形態１又は実施形態２の電子レンジ用調理容器においては、容器内の熱湯とユーザが容器を把持する部分との間に十分な距離が保たれるよう、容器が十分な高さを有することが望ましい。このように構成する場合、容器の強度を高めるための技術が必要となる。本実施形態の電子レンジ用調理容器は、側面にリブを設けることによって容器の強度を高めたことを特徴とする。
<実施形態３：構成>
【００２７】
本実施形態の電子レンジ用調理容器は、「底面」と、「側面」と、からなり、かつ「凹陥部」を有する。「底面」及び「凹陥部」については、実施形態１で述べたところと同様であるので、説明を省略する。
【００２８】
本実施形態における電子レンジ用調理容器の「側面」は、底面に対して略垂直方向に形成されたリブを有することを特徴とする。ここで、図７を参照する。図７は、本実施形態の電子レンジ用調理容器を側面方向から見た場合における概念図である。図７に示すように、リブは、容器の強度上昇に資するよう、側面の広範囲にわたって多数設けられていることが望ましい。
<実施形態３：効果>
【００２９】
本実施形態の電子レンジ用調理容器においては、側面がリブを有することによって、容器が十分な高さを有するよう構成した場合においても、容器の強度が保たれる。本発明によれば、調理直後においても電子レンジから安全かつ容易に取り出し可能な電子レンジ用調理容器を提供できる。
<<実施形態４>>
<実施形態４：概要>
【００３０】
実施形態１ないし３の電子レンジ用調理容器においては、調理直後の容器を耐熱温度が低い材質の上に置いた場合、高温となった底面と接触する部分が変形したり融解したりするおそれがある。本実施形態の電子レンジ用調理容器は、底面の接地面積を少なくするため、底面の央部に凹陥部を設けるとともに、リブを底面の凹陥部周囲まで延伸したことを特徴とする。
<実施形態４：構成>
【００３１】
ここで、図８を参照する。図８は、本実施形態の電子レンジ用調理容器を側面方向から見た場合における概念図である。本実施形態の電子レンジ用調理容器は、「底面」（０８０１）と、「側面」（０８０２）と、からなり、かつ「凹陥部」（０８０３）を有する。「凹陥部」については、実施形態１で述べたところと同様であるので、説明を省略する。また、「側面」については、以下に述べる点を除いて、実施形態３で説明したところと同様である。
【００３２】
本実施形態における電子レンジ用調理容器の「底面」は、央部に凹陥部（０８０６）を有する。この凹陥部は、底面の央部を容器内部に向かって凸となるよう形成することによって生じ、容器を平面上に置いた場合においても接地することがない。
【００３３】
本実施形態における電子レンジ用調理容器の「側面」は、底面に対して略垂直方向に形成されたリブを有することを特徴とする。そして、リブを底面にまで延伸することによって、底面の凹陥部周囲にもリブが設けられ、このリブによって底面が設置することとなる。
<実施形態４：効果>
【００３４】
本実施形態の電子レンジ用調理容器においては、容器を平面上に置いた場合、底面の凹陥部周囲のリブのみによって容器が接地することから、高温となった底面の接地面積を少なくすることが可能となる。本発明によれば、調理直後においても電子レンジから安全かつ容易に取り出し可能であり、かつ、容器を耐熱温度が低い材質の上に置いた場合であっても、底面と接触する部分が変形したり融解したりすることのない電子レンジ用調理容器を提供できる。
【図面の簡単な説明】
【００３５】
【図１】実施形態１の電子レンジ用調理容器をユーザが把持する際の一例を示す概念図
【図２】実施形態１の電子レンジ用調理容器を側面方向から見た場合における概念図
【図３】実施形態１の電子レンジ用調理容器を底面方向から見た場合における概念図
【図４】実施形態２の電子レンジ用調理容器を天方向から見た場合における概念図
【図５】実施形態２の電子レンジ用調理容器を側面方向から見た概念図
【図６】実施形態２の電子レンジ用調理容器の使用状態の一例を示す概念図
【図７】実施形態３の電子レンジ用調理容器を側面方向から見た場合における概念図
【図８】実施形態４の電子レンジ用調理容器を側面方向から見た場合における概念図
【符号の説明】
【００３６】
底面  ０２０１
側面  ０２０２
凹陥部  ０２０３
指掛け部  ０４０４
ピーター線  ０５０５
底面央部の凹陥部  ０８０６
【図１】
2014014594.tif 000003
【図２】
2014014594.tif 000004
【図３】
2014014594.tif 000005
【図４】
2014014594.tif 000006
【図５】
2014014594.tif 000007
【図６】
2014014594.tif 000008
【図７】
2014014594.tif 000009
【図８】
2014014594.tif 000010